(57)【特許請求の範囲】
【請求項１】
カバー開閉装置の基体部と、
該基体部に対して開閉自在なカバー部と、
該カバー部の閉状態の姿勢を保持する爪係合機構と、
該爪係合機構と別体に設けられ、閉状態の前記カバー部を開閉方向開側へ付勢可能なラッチ機構と、を備え、
前記爪係合機構は、爪部と、該爪部と係合可能な凹部とを備え、
前記カバー部の開閉方向に遊びがある構成であるカバー開閉装置。
【請求項２】
請求項１に記載のカバー開閉装置において、前記ラッチ機構は、前記カバー部の開閉方向に移動可能なラッチ移動部を有し、
該ラッチ移動部が他の位置より開閉方向開側の第１位置に安定される第１安定状態と、
該ラッチ移動部が該第１位置より開閉方向閉側の第２位置に安定される第２安定状態と、
該ラッチ移動部が該第２位置より開閉方向閉側であって、前記第１安定状態と前記第２安定状態とを切替える第３位置と、を備え、
前記爪係合機構の前記遊びの距離は、閉じた状態の前記カバー部から前記第３位置のときの前記ラッチ移動部までの距離よりも大となる構成であるカバー開閉装置。
【請求項３】
請求項２に記載のカバー開閉装置において、前記カバー部が閉じた状態では、前記第２位置のラッチ移動部は、前記カバー部から離間し、
前記カバー部は自重によって開く方向へ付勢されているカバー開閉装置。
【請求項４】
請求項２に記載のカバー開閉装置において、前記カバー部が閉じた状態では、前記第２位置のラッチ移動部は、前記カバー部と当接しているカバー開閉装置。
【請求項５】
請求項２乃至４のいずれか１項に記載のカバー開閉装置において、前記カバー部を閉じる際、
前記ラッチ移動部が前記第１位置から前記第３位置まで移動する間、前記爪係合機構が係合することを防止し、
前記第３位置まで移動したとき、前記爪係合機構が係合する係合タイミング遅延係合機構を備えるカバー開閉装置。
【請求項６】
載置された被記録媒体を給送する給送部と、
該給送部から給送された被記録媒体に記録ヘッドにより記録を実行する記録部と、
基体部に対して開閉可能な揺動部と、を備えた記録装置であって、
前記揺動部は、請求項１乃至５のいずれか１項に記載された前記カバー開閉装置を備える記録装置。
【発明の詳細な説明】
【技術分野】
【０００１】
本発明は、カバー開閉装置の基体部と、該基体部に対して開閉自在なカバー部と、を備えたカバー開閉装置および該カバー開閉装置を備えた記録装置に関する。
【０００２】
本願において、記録装置には、インクジェットプリンタ、ワイヤドットプリンタ、レーザープリンタ、ラインプリンタ、複写機、ファクシミリ等の種類が含まれるものとする。  
また、液体噴射装置とは、液体噴射ヘッドとしての記録ヘッドから記録紙等の被記録材へインクを噴射して被記録材への記録を実行するインクジェット式記録装置、複写機及びファクシミリ等の記録装置に限らず、インクに代えて特定の用途に対応する液体を前述した記録ヘッドに相当する液体噴射ヘッドから、被記録材に相当する被噴射材に噴射して、液体を被噴射材に付着させる装置を含む意味で用いる。
【０００３】
またさらに、液体噴射ヘッドとしては、前述した記録ヘッド以外に、液晶ディスプレイ等のカラーフィルタ製造に用いられる色材噴射ヘッド、有機ＥＬディスプレイや面発光ディスプレイ（ＦＥＤ）等の電極形成に用いられる電極材（導電ペースト）噴射ヘッド、バイオチップ製造に用いられる生体有機物噴射ヘッド、精密ピペットとしての試料を噴射する試料噴射ヘッド等が挙げられる。
【背景技術】
【０００４】
従来では、記録装置は、カバー開閉装置の一例として排紙トレイ開閉装置を備えていた。該排紙トレイ開閉装置は、記録装置本体に対して開閉可能な排紙トレイを有していた。前記記録装置を使用しないときは、前記排紙トレイが不要であるため、該排紙トレイを閉じてコンパクトにすることができた。一方、前記記録装置を使用するときは、前記排紙トレイを開いて記録した用紙を載置することができた。
【０００５】
そして、前記排紙トレイの閉じた状態を保持する機構として、主として三種類の機構があった。このうち、一つ目（以下、従来形態１）は、磁石によって保持して押出しレバーによって保持状態を解除する機構である。二つ目（以下、従来形態２）は、爪の係合によって保持して排紙レバーに設けられた取っ手部を引っ張ることによって保持状態を解除する機構である（例えば、特許文献１）。三つ目（以下、従来形態３）は、記録装置本体側にハートカムによる二安定位置を有するラッチ機構を設けて、該ラッチ機構の先端に磁石を配設した構成である。具体的には、磁石によって前記閉じた状態を保持し、前記ラッチ機構の安定状態を切替える際の付勢力によって保持状態を解除する構成である。
【０００６】
図１１に示すのは、従来形態１の磁石によって保持して押出しレバーによって保持状態を解除する機構を備えた記録装置を示す斜視図である。  
図１１に示す如く、従来形態１の記録装置４０１は、上方にパネルカバー４０２と、前方に排紙トレイ４０６とを備えていた。排紙トレイ４０６は、一対の支軸部４０７、４０７を支点に開閉可能に設けられていた。さらに、該支点を基準とした先端側に金属片（図示せず）を有していた。そして、閉じた状態では、前方に設けられた磁石４０４の磁力によって排紙トレイ４０６の姿勢が保持されるように構成されていた。
【０００７】
そして、排紙トレイ４０６を開く際、ユーザは、先ず、パネルカバー４０２を開く。次に開ボタン４０３を押す。ここで、開ボタン４０３を押すことによって、前方の押出しレバー４０５が前方に突出するように構成されていた。従って、磁石４０４による保持状態を解除することができる。具体的には、押出しレバー４０５によって排紙トレイ４０６を強制的に磁力が作用しない範囲まで移動させる。従って、排紙トレイ４０６には、開閉方向閉側に作用する力が及ばないので、排紙トレイ４０６は自重によって前方である開側へ回動する。その結果、開いた状態となる。  
一方、排紙トレイ４０６を閉じる際、ユーザは、排紙トレイ４０６を開閉方向閉側へ回動させる。そして、磁石４０４の磁力が作用する範囲まで回動させる。すると、磁力によって閉じた状態となり保持される。
【０００８】
図１２（Ａ）（Ｂ）に示すのは、従来形態２の爪係合によって保持して取っ手部を引っ張ることによって保持状態を解除する機構を備えた記録装置を示す側面図である。このうち、図１２（Ａ）は排紙トレイが閉じた状態である。一方、図１２（Ｂ）は排紙トレイが開いた状態である。  
図１２（Ａ）（Ｂ）に示す如く、従来形態２の記録装置５０１は、前方に排紙トレイ５０２を備えていた。排紙トレイ５０２は支軸部５０３を支点に回動可能に設けられていた。また、記録装置本体側には、爪部５０６が設けられていた。一方、排紙トレイ側には、爪部５０６と係合可能な凹部５０５が設けられていた。閉じた状態では、爪部５０６が凹部５０５と係合することによって、排紙トレイ５０２の閉じた状態を保持することができる。
【０００９】
そして、排紙トレイ５０２を開く際、ユーザは、排紙トレイ５０２に設けられた取っ手部５０４を開閉方向開側へ引っ張ることによって、爪部５０６と凹部５０５との係合状態を解除することができる。その後、排紙トレイ５０２を開側へ回動させることによって、開いた状態にすることができる。  
一方、排紙トレイ５０２を閉じる際、ユーザは、排紙トレイ５０２を開閉方向閉側へ回動させる。そして、閉側へ押し込むことによって、爪部５０６と凹部５０５とを係合させ閉じた状態を保持することができる。
【００１０】
図１３（Ａ）（Ｂ）に示すのは、従来形態３の記録装置本体側にハートカムを有するラッチ機構を設けて、該ラッチ機構の先端に磁石を配設した構成を備えた記録装置を示す側面図である。このうち、図１３（Ａ）は排紙トレイが閉じた状態である。一方、図１３（Ｂ）は排紙トレイが開いた状態である。  
図１３（Ａ）（Ｂ）に示す如く、従来形態３の記録装置６０１は、前方に排紙トレイ６０２を備えていた。排紙トレイ６０２は支軸部６０３を支点に回動可能に設けられていた。さらに、該支点を基準とした先端側に金属片（図示せず）を有していた。
【００１１】
また、記録装置本体側には、ラッチ機構６０４が設けられていた。ラッチ機構６０４は、記録装置本体側に固定されたラッチ基部６０５と、押出し移動部６０６と、磁石６０７とを備えていた。このうち、押出し移動部６０６は、ラッチばね（図示せず）の付勢力によって、ラッチ基部６０５に対して排紙トレイ６０２の開閉方向に移動可能に設けられていた。また、磁石６０７は、押出し移動部６０６の開閉方向開側に設けられていた。
【００１２】
またさらに、ラッチ機構６０４は、公知技術であるハートカムを有し、押出し移動部６０６が第１の位置および該第１の位置よる閉側である第２の位置に安定するように構成されていた。即ち、前記第１の位置に安定する第１安定状態と、前記第２の位置に安定する第２安定状態とを有していた。さらに、前記第１の位置および第２の位置より閉側の第３の位置において、前記第１安定状態と前記第２安定状態とを切り替わるように構成されていた。
【００１３】
ここで、図１３（Ａ）に示すラッチ機構６０４は第２安定状態である。即ち、押出し移動部６０６は第２の位置である。また、図１３（Ｂ）に示すラッチ機構６０４は第１安定状態である。即ち、押出し移動部６０６は第１の位置である。  
従って、閉じた状態では、排紙トレイ６０２は、第２の位置の押出し移動部６０６によって位置決めされ、磁石６０７によって保持されている。
【００１４】
そして、排紙トレイ６０２を開く際、ユーザは、閉側へ排紙トレイ６０２を押し込み、押出し移動部６０６を第３の位置へ移動させる。すると、ラッチ機構６０４は第２安定状態から第１安定状態へ切り替わる。その後、ユーザは、排紙トレイ６０２から手を離すと、ラッチ機構６０４のラッチばねの付勢力によって、押出し移動部６０６および排紙トレイ６０２は開閉方向開側へ移動する。そして、押出し移動部６０６は、図１３（Ｂ）に示す第１の位置で停止する。
【００１５】
このとき、排紙トレイ６０２は勢いよく移動するので、押出し移動部６０６が停止した場合であっても、磁石６０７の磁力が作用しない範囲まで移動することができる。即ち、慣性によってそのまま開側へ回動することができる。従って、開いた状態にすることができる。  
一方、排紙トレイ６０２を閉じる際、ユーザは、排紙トレイ６０２を閉側へ回動させる。そして、排紙トレイ６０２は、第１の位置の押出し移動部６０６と当接すると同時に磁石６０７の磁力によって保持される。
【００１６】
その後、ユーザは、さらに排紙トレイ６０２を閉側へ押し込むことによって、押出し移動部６０６を第３の位置まで移動させる。すると、ラッチ機構６０４は、第１安定状態から第２安定状態へ切り替わる。そして、ユーザが排紙トレイ６０２から手を離すと、ラッチばねの付勢力によって、排紙トレイ６０２および押出し移動部６０６は、開閉方向開側へ移動する。その後、押出し移動部６０６は図１３（Ａ）に示す第２の位置で停止する。  
このとき、排紙トレイ６０２は、磁石６０７の磁力によって押出し移動部６０６と一体に保持されているので、第２の位置の押出し移動部６０６によって位置決めされる。従って、閉じた状態にすることができる。  
【特許文献１】特開２００４−０５９１８０号公報
【発明の開示】
【発明が解決しようとする課題】
【００１７】
しかしながら、図１１に示す従来形態１では、排紙トレイ４０６を開くために先ず、パネルカバー４０２を開く工程、次に開ボタン４０３を押す工程の二つの工程を必要とする。従って、ユーザにとって利便性が欠ける。また、開ボタン４０３が排紙トレイ４０６から離れているため、直感的に操作が解りにくかった。ここで、開ボタン４０３は、記録装置４０１の前面を凹凸なく仕上げるために上方のパネルカバー内に設けられていた。
【００１８】
また、図１２（Ａ）（Ｂ）に示す従来形態２では、記録装置５０１の前面に取っ手部５０４が突出しており凹凸となるので、好ましくない。またさらに、ユーザは、排紙トレイ５０２を開く際、閉じる際の押し込む力と逆方向の引っ張る力を作用させなければならない。そして、ユーザの引っ張る力によって爪部５０６の係合状態を解除しなければならないため、強く引っ張る必要がある。即ち、操作性に欠ける。
【００１９】
またさらに、図１３（Ａ）（Ｂ）に示す従来形態３では、閉じた状態の排紙トレイ６０２は、第１の位置の押出し移動部６０６によって位置決めされている。ここで、押出し移動部６０６の先端の位置は、ハートカム等のラッチ機構自体の公差および押出し移動部６０６の公差によって、バラツキが生じる虞がある。特に移動可能に設けられている押出し移動部６０６の位置にバラツキが生じる虞がある。従って、閉じた状態の排紙トレイ６０２の位置が、記録装置本体の外面と同一面上に位置しない虞がある。即ち、排紙トレイ６０２が前記外面において凹凸を形成する虞がある。また、開く際に排紙トレイ６０２が磁石６０７から離間しない虞があった。即ち、完全に開かない虞があった。
【００２０】
本発明は、このような状況に鑑み成されたものであり、その課題は、閉じたときに外観に凹凸がなく、かつ、操作性がよいカバー開閉装置および該カバー開閉装置を備えた記録装置を提供することである。
【課題を解決するための手段】
【００２１】
上記課題を達成するため、本発明の第１の態様のカバー開閉装置は、該カバー開閉装置の基体部と、該基体部に対して開閉自在なカバー部と、該カバー部の閉状態の姿勢を保持する爪係合機構と、該爪係合機構と別体に設けられ、閉状態の前記カバー部を開閉方向開側へ付勢可能なラッチ機構と、を備えていることを特徴とする。
【００２２】
本発明の第１の態様によれば、カバー開閉装置の基体部と、該基体部に対して開閉自在なカバー部と、該カバー部の閉状態の姿勢を保持する爪係合機構と、該爪係合機構と別体に設けられ、閉状態の前記カバー部を開閉方向開側へ付勢可能なラッチ機構と、を備えている。従って、前記カバー部が閉状態において、前記爪係合機構は、前記カバー部を精度良く位置決めすることができる。即ち、前記カバー部を前記基体部の面と同一面に位置決めすることができ、外観に凹凸がなく美観がよい。
【００２３】
また、前記カバー部を閉状態から開状態にする際、前記ラッチ機構の付勢力を利用して、前記爪係合機構の係合状態を解除することができる。従って、従来の爪係合機構で排紙トレイの閉状態を係止する構造において、必要であった排紙トレイの取っ手部を設ける必要がない。即ち、前記取っ手部を設けないので、前記カバー部の閉状態の美観をよくすることができる。
【００２４】
またさらに、ユーザは、前記カバー部を閉じる際および開く際、同じ閉じる方向へ押すだけでよい。即ち、ユーザは押すワンアクションだけで開閉操作することができる。  
ここで、前記開く際、前記カバー部を引っ張ることを要しないので、閉じる際および開く際の操作性がよい。さらに、前記開く際、前記ラッチ機構の付勢力を利用して前記爪係合機構の係合状態を解除することができる。
【００２５】
本発明の第２の態様は、第１の態様において、前記爪係合機構は、爪部と、該爪部と係合可能な凹部とを備え、前記カバー部の開閉方向に遊びがある構成であることを特徴とする。  
本発明の第２の態様によれば、第１の態様と同様の作用効果に加え、前記爪係合機構は、爪部と、該爪部と係合可能な凹部とを備え、前記カバー部の開閉方向に遊びがある構成である。従って、前記カバー部が閉状態において、前記爪係合機構が係合した状態で、前記ラッチ機構の切替えができる。そして、該切替えによって、前記付勢力を発生させ、前記爪係合機構の係合を解除することができる。即ち、前記係合を解除して前記カバー部を開く際、前記ラッチ機構の切替えが実行されるまで、前記爪部は何ら作用しない。その結果、ユーザは、容易に前記ラッチ機構の切替えを実行することができる。即ち、操作性がよい。
【００２６】
本発明の第３の態様は、第２の態様において、前記ラッチ機構は、前記カバー部の開閉方向に移動可能なラッチ移動部を有し、該ラッチ移動部が他の位置より開閉方向開側の第１位置に安定される第１安定状態と、該ラッチ移動部が該第１位置より開閉方向閉側の第２位置に安定される第２安定状態と、該ラッチ移動部が該第２位置より開閉方向閉側であって、前記第１安定状態と前記第２安定状態とを切替える第３位置と、を備え、前記爪係合機構の前記遊びの距離は、閉じた状態の前記カバー部から前記第３位置のときの前記ラッチ移動部までの距離よりも大となる構成であることを特徴とする。
【００２７】
本発明の第３の態様によれば、第２の態様と同様の作用効果に加え、前記爪係合機構の前記遊びの距離は、閉じた状態の前記カバー部から前記第３位置のときの前記ラッチ移動部までの距離よりも大となる構成である。従って、前記カバー部が閉じた状態において、より確実に、前記爪係合機構が係合した状態で、前記ラッチ機構の切替えができる。また、前記カバー部が開いた状態から閉じたときにも、前記ラッチ機構の切替えができる。
【００２８】
本発明の第４の態様は、第３の態様において、前記カバー部が閉じた状態では、前記第２位置のラッチ移動部は、前記カバー部から離間し、前記カバー部は自重によって開く方向へ付勢されていることを特徴とする。  
本発明の第４の態様によれば、第３の態様と同様の作用効果に加え、前記カバー部が閉じた状態では、前記第２位置のラッチ移動部は、前記カバー部から離間している。従って、前記ラッチ機構から強い力が作用しないので、前記カバー部の位置精度を向上させることができる。  
また、前記カバー部は自重によって開く方向へ付勢されている。従って、前記爪係合機構は、前記遊びがある場合であっても、前記カバー部を精度良く位置決めすることができる。
【００２９】
本発明の第５の態様は、第３の態様において、前記カバー部が閉じた状態では、前記第２位置のラッチ移動部は、前記カバー部と当接していることを特徴とする。  
本発明の第５の態様によれば、第３の態様と同様の作用効果に加え、前記カバー部が閉じた状態では、前記第２位置のラッチ移動部は、前記カバー部と当接している。従って、前記爪係合機構に前記遊びが設けられている場合であっても、前記カバー部を付勢することによって、前記爪係合機構において前記カバー部を精度良く位置決めすることができる。即ち、前記ラッチ機構が当接することによって、前記カバー部が閉状態において、前記遊びの範囲内でカタカタ動く虞がない。
【００３０】
本発明の第６の態様は、第３から第５のいずれか一の態様において、前記カバー部を閉じる際、前記ラッチ移動部が前記第１位置から前記第３位置まで移動する間、前記爪係合機構が係合することを防止し、前記第３位置まで移動したとき、前記爪係合機構が係合する係合タイミング遅延係合機構を備えていることを特徴とする。  
本発明の第６の態様によれば、第３から第５のいずれか一の態様と同様の作用効果に加え、前記カバー部を閉じる際、前記ラッチ移動部が前記第１位置から前記第３位置まで移動する間、前記爪係合機構が係合することを防止し、前記第３位置まで移動したとき、前記爪係合機構が係合する係合タイミング遅延係合機構を備えている。従って、前記カバー部を閉じたとき、前記ラッチ機構を確実に前記第１安定状態から前記第２安定状態に切替えることができる。即ち、前記ラッチ機構が切り替わらないで前記第１安定状態のまま、前記カバー部が閉状態になる虞がない。
【００３１】
仮に、前記ラッチ機構が切り替わらないで前記第１安定状態のまま、前記カバー部が閉状態になった場合を考える。係る場合、ユーザが前記カバー部を押すと、前記ラッチ機構は、前記第１安定状態から前記第３位置を介して前記第２安定状態へ切り替わる。即ち、ユーザが操作した場合であっても前記閉状態から前記カバーを開くことができない虞が生じる。さらに言い換えると、所謂、アブノーマルな状態となる虞が生じる。  
そこで、本態様は、前記係合タイミング遅延係合機構を備えることによって、前記アブノーマルな状態となる虞がない。
【００３２】
本発明の第７の態様の記録装置は、載置された被記録媒体を給送する給送部と、該給送部から給送された被記録媒体に記録ヘッドにより記録を実行する記録部と、基体部に対して開閉可能な揺動部と、を備えた記録装置であって、前記揺動部は、上記第１から第６のいずれかの態様の前記カバー開閉装置を備えていることを特徴とする。  
本発明の第７の態様によれば、前記揺動部は、上記第１から第６のいずれかの態様の前記カバー開閉装置を備えている。従って、前記記録装置において、上記第１から第６のいずれかの態様と同様の作用効果を得ることができる。
【発明を実施するための最良の形態】
【００３３】
以下、本発明の実施の形態を図面に基づいて説明する。  
図１に示すのは、本発明に係る液体噴射装置の一例である記録装置を示す全体斜視図である。  
図１に示す如く、記録装置１００は、記録装置本体部２５０と、排出トレイ２５６と、パネルカバー蓋部２５１と、ハンドル部２５２とを備えている。従って、ユーザは、ハンドル部２５２を持って、記録装置１００を持ち運ぶことができる。そして、ユーザは、水平で平坦なところに記録装置１００を載置する。
【００３４】
このとき、排出トレイ２５６は、記録装置本体部２５０に対して閉じた状態である。また、後述するように、排出トレイ２５６は、記録装置本体部２５０の外面と同一面上に位置する。即ち、排出トレイ２５６と、記録装置本体部２５０の外面との間に段差がない状態である。  
また、パネルカバー蓋部２５１は、記録装置本体部２５０に対して閉じた状態である。
【００３５】
図２に示すのは、ユーザが使用する際の記録装置を示す全体斜視図である。  
図２に示す如く、記録装置１００は、上面に開閉可能なパネルカバー蓋部２５１を備えている。ハンドル部２５２を下げた後にパネルカバー蓋部２５１を開くと、第１操作部２５７および第２操作部３００から構成される操作部２７０と、後述する給送部１４４とが現れる。  
第１操作部２５７は、記録装置本体部２５０自体を起動するための電源ボタン２５８を有する。
【００３６】
また、詳しくは後述するように、ユーザが排出トレイ２５６を押すと後述する爪係合機構３１０の係合が解除される。そして、ラッチ機構３２０の付勢力Ｆ１（図６および図７参照）によって、排出トレイ２５６が一対の第１支軸部３０９、３０９（図５〜図９参照）を支点に開くように構成されている。排出トレイ２５６が開くと、排出開口部２５５が現れる。そして、記録が実行された用紙が、排出開口部２５５から排出されるように設けられている。このとき、排出された用紙は、排出トレイ２５６に載置される。  
またさらに、記録装置１００の背面側には、背面側蓋部２５３が設けられている。記録装置１００は、背面側蓋部２５３を開くことによって、インクカートリッジの着脱を行うことができるように設けられている。
【００３７】
また、第２操作部側に設けられた一対の軸係合部は、記録装置本体側に設けられた一対の第２支軸部３０１、３０１と係合可能に設けられている。即ち、第２操作部３００は、記録装置本体部２５０に対して着脱可能に設けられている。そして、第２操作部３００は、パネルカバー蓋部２５１を開いた状態、かつ、第２操作部３００が記録装置本体部２５０に取り付けられた状態において、第２支軸部３０１、３０１を支点に上下方向に向きを変える所謂、チルト機構を有している。  
従って、ユーザにとって表示部３０２に表示された画像が見易い角度に調整することができる。
【００３８】
続いて、記録装置内部について、説明する。  
図３に示すのは、本発明に係る記録装置内部の概略を示す全体斜視図である。また、図４に示すのは、本発明に係る記録装置内部の概略を示す全体平面図である。  
記録装置１００の本体の背面側には、被記録媒体としての用紙が載置されるホッパ１０１が、上方を支点に揺動可能に設けられている。ホッパ１０１の最上位に載置された用紙は、給送部１４４によって、搬送方向下流側である記録部側へ給送される。
【００３９】
具体的には、載置された用紙は、給送用モータ１０４によって駆動する給送ローラ（図示せず）によりピックアップされる。そして、用紙ガイド１０３に案内されながら搬送方向の下流側の搬送ローラ（図示せず）へと給送される。搬送ローラまで給送された用紙は、搬送用モータ（図示せず）によって駆動する搬送ローラにより、さらに搬送方向の下流側の記録部１４３へと搬送される。
【００４０】
記録部１４３は、用紙を下方から支持するプラテン１０５と、プラテン１０５の上方側に対向するように設けられたキャリッジ１０７とによって構成される。そのうち、キャリッジ１０７は、主走査方向へ延びたキャリッジガイド軸（図示せず）に案内されながらキャリッジモータ１０２によって駆動する。さらに、キャリッジ１０７の底面部には、用紙へ向かってインクを吐出する記録ヘッド１０６が設けられている。
【００４１】
記録部１４３で記録された用紙は、さらに下流側へと搬送される。そして、排出部２５４に設けられた排紙ローラ（図示せず）によって記録装置１００の正面側の排出開口部２５５（図２参照）から排出される。  
尚、排出部２５４は、排出トレイ２５６（図１および図２参照）、排紙ローラ、および排出開口部２５５を有する。
【００４２】
また、記録装置１００の本体下方の着脱装置２０１には、インクカートリッジ（図示せず）が装填され、インク供給針（図示せず）を介してインク供給路（図示せず）へとインクが供給される。さらに、インク供給チューブ１１０を介してキャリッジ１０７の記録ヘッド１０６まで供給される。そして、記録ヘッド１０６のフラッシング時、およびクリーニング時には、１桁側に設けられ、記録部１４３の吐出特性を維持する吐出特性維持部としてのインク吸引装置２００においてインクの吐出・吸引動作が行われる。インク吸引装置２００は、キャップ部２１３を備え、キャップ部２１３を上下方向へ移動させて記録ヘッド１０６を封止することができるように構成されている。
【００４３】
続いて、排出トレイ２５６の構成について説明する。  
図５に示すのは、閉じた状態（ロック状態）の排出トレイを示す概略側面図である。  
図５に示す如く、記録装置本体部２５０には、ラッチ機構３２０と、爪係合機構３１０とが設けられている。このうち、ラッチ機構３２０は、記録装置本体部２５０に固定されたラッチ基部３２１と、ラッチ基部３２１に対して排出トレイ２５６の開閉方向へ移動可能なラッチ移動部３２２とを備えている。また、ラッチ機構３２０は、図示しないラッチばねと、公知技術であるハート型カム（図示せず）とを備えている。
【００４４】
そして、該ラッチばねおよびハート型カムによって、ラッチ移動部３２２は、後述するように第１ポジションＬ１および第２ポジションＬ２の２つの安定位置を有する。言い換えると、ラッチ機構３２０は、ラッチ移動部３２２が第１ポジションＬ１に安定する第１安定状態と、第２ポジションＬ２に安定する第２安定状態とを有する。さらに、後述する第３ポジションＬ３まで移動することによって、第１安定状態と第２安定状態との切替えが実行されるように構成されている。
【００４５】
また、爪係合機構３１０は、記録装置本体部側に設けられた爪部３１１と、排出トレイ２５６に設けられた凹部３１４とを有する。このうち、爪部３１１は、図中の上下方向に撓むことが可能な可撓部３１３と、排出トレイ２５６の開閉方向における開側に設けられた第１傾斜部３１２とを有する。一方、凹部３１４は、排出トレイ２５６の開閉方向における閉側に設けられた第２傾斜部３１６と、開側に設けられた度当て部３１７と、第２傾斜部３１６と度当て部３１７とを繋ぐ平坦部３１５と、を有する。
【００４６】
排出トレイ２５６が閉じた状態では、爪係合機構３１０の爪部３１１と、凹部３１４とが係合した状態となる。また、ラッチ機構３２０のラッチ移動部３２２は、第２ポジションＬ２に安定するように構成されている。即ち、ラッチ機構３２０は、第２安定状態である。  
このとき、ラッチ移動部３２２は、排出トレイ２５６と当接しており、僅かに第２ポジションＬ２から図中右側である第３ポジション側に位置する。即ち、ラッチ移動部３２２は、ラッチばねによって、僅かに排出トレイ２５６を開閉方向における開側へ付勢している。従って、爪部３１１は、凹部３１４の第２傾斜部３１６と当接した状態となる。
【００４７】
即ち、排出トレイ２５６の位置は、爪係合機構３１０によって位置決め・保持されている。このとき、排出トレイ２５６の外面は、記録装置本体部２５０の外面と同一面上となる。また、凹部３１４には、平坦部３１５が設けられており、爪部３１１と凹部３１４との間に所謂、遊び（Ｄ１）が設けられている。  
ここで、前述したラッチばねの付勢力Ｆ１が作用している。従って、該遊び（Ｄ１）によって、排出トレイ２５６が「カタカタ」と音を立てると共にぐらぐらと不安定な動きをする虞がない。  
尚、本実施形態において、前記遊び（Ｄ１）は、２ｍｍである。また、２点鎖線で示すのは、閉じた状態における排出トレイ２５６の内側面とラッチ移動部３２２との当接面である（以下、同じ）。
【００４８】
［排出トレイを開く際の動作］
図６に示すのは、オーバーストローク状態の排出トレイを示す概略側面図である。  
図６に示す如く、図５に示す状態からユーザが、開閉方向における閉側である図中の右側へ排出トレイ２５６を押すと、排出トレイ２５６は、第１支軸部３０９、３０９を支点に時計方向へ回動する。  
このとき、前記遊び（Ｄ１）が設けられているので、爪部３１１は、凹部３１４と係合したままである。そして、凹部３１４の度当て部３１７が、爪部３１１と当接する。従って、排出トレイ２５６の時計方向への回動が停止する。
【００４９】
ここで、該停止する直前にラッチ移動部３２２は、第３ポジションＬ３に到達するように構成されている。即ち、このときの排出トレイ２５６の回動距離は、前記遊び（Ｄ１）の距離（２ｍｍ）によって決定される。そして、該遊びの距離Ｄ１は、排出トレイ２５６を閉じた状態のラッチ移動部３２２の位置（図５に示す位置）から第３ポジションＬ３までの距離Ｄ２より大となるように構成されている。従って、確実に第１安定状態と第２安定状態との切替えを実行することができる。具体的には、安定位置が第２ポジションＬ２から後述する第１ポジションＬ１（図７および図８参照）へ切り替わる。  
このとき、ラッチばねの縮む量（距離）が最大となるので、開側へ付勢する付勢力Ｆ１は最大となる。
【００５０】
図７に示すのは、係合解除後であって排出トレイが開く際の動作を示す概略側面図である。  
図７に示す如く、図６に示す状態からユーザが排出トレイ２５６から手を離すと、最大となったラッチばねの付勢力Ｆ１によって、排出トレイ２５６は、開側へ回動する。このとき、最大となった付勢力Ｆ１により、爪部３１１と、凹部３１４との係合が解除される。具体的には、排出トレイ２５６が開側へ回動することに従って、爪部３１１は、付勢力Ｆ１に押されて凹部３１４の第２傾斜部３１６を上るように図中における上方へ変位する。このとき、爪部３１１は、可撓部３１３が撓むことによって上方へ変位することができる。そして、爪部３１１が第２傾斜部３１６を上りきったとき、係合が解除される。
【００５１】
即ち、ユーザは、排出トレイ２５６を閉側へ押すことによって、爪係合機構３１０の係合を解除することができる。さらに、従来技術において排紙トレイ５０２（図１２（Ａ）（Ｂ）参照）に設けられていた取っ手部５０４（図１２（Ａ）（Ｂ）参照）を必要としない。  
その後、排出トレイ２５６がさらに開側へ回動すると、排出トレイ２５６が爪部３１１から離間する。そして、爪部３１１には付勢力Ｆ１が作用しなくなるので、可撓部３１３の撓みがもとに戻る。即ち、爪部３１１は、上方へ変位した分だけ、下方へ変位して元の位置に戻る。  
また、ラッチ移動部３２２は、図５に示す位置より８ｍｍだけ開閉方向開側に位置する第１ポジションＬ１まで排出トレイ２５６を押し出して停止する。
【００５２】
図８に示すのは、排出トレイが開いた状態を示す概略側面図である。  
図８に示す如く、図７に示す状態から排出トレイ２５６がさらに開側へ回動すると、図２で示す開いた状態となる。即ち、記録され排出された用紙を載置することができる。  
尚、開いた状態の排出トレイ２５６の姿勢は、記録装置本体部側の図示しない規制部によって規制されているものとする。
【００５３】
［排出トレイを閉じる際の動作］  
図８に示す状態から、ユーザは、排出トレイ２５６を閉側である図中の時計方向へ回動させる。そして、図７に示す如く、排出トレイ２５６を第１ポジションＬ１のラッチ移動部３２２と当接させる。その後、さらに排出トレイ２５６を閉側へ押し込むようにして回動させる。この際、ラッチばねの付勢力Ｆ１に抗して排出トレイ２５６を押し込むと、先ず、排出トレイ２５６は、爪部３１１の第１傾斜部３１２に当接する。次に、第１傾斜部３１２によって、爪部３１１は、図中における上方へ変位する。このとき、可撓部３１３が撓むので、爪部３１１は、上方へ変位することができる。
【００５４】
さらに排出トレイ２５６が閉側へ回動すると、爪部３１１が凹部３１４と対向する。このとき、可撓部３１３の撓みが元に戻り、爪部３１１は上方へ変位した分だけ下方へ変位する。従って、爪係合機構３１０は、係合状態となる。その後、さらに排出トレイ２５６を閉側へ回動して、図６に示す如く、ラッチ移動部３２２を第３ポジションＬ３まで移動させる。従って、ラッチ機構３２０は、第１安定状態から第２安定状態へ切り替わる。即ち、ラッチ移動部３２２の安定位置が、第１ポジションＬ１から第２ポジションＬ２へ切り替わる。
【００５５】
そして、ユーザが排出トレイ２５６から手を離すと、ラッチばねの付勢力Ｆ１によって、排出トレイ２５６は、開側へ押し戻される。このとき、排出トレイ２５６は、爪部３１１と凹部３１４との係合の遊び（Ｄ１）分（２ｍｍ）だけ開側へ回動する。そして、爪部３１１が凹部３１４の第２傾斜部３１６と当接する。このとき、ラッチばねの付勢力Ｆ１と、爪部３１１の可撓部３１３の下方への付勢力とが、第２傾斜部３１６において釣り合う。従って、図５に示す如く、排出トレイ２５６は停止する。このとき、排出トレイ２５６の位置は、爪係合機構３１０の係合によって精度良く位置決めされる。即ち、排出トレイ２５６の外面を、記録装置本体部２５０の外面と同一面上に合わせることができる。
【００５６】
本実施形態のカバー開閉装置としての排出部２５４は、カバー開閉装置の基体部としての記録装置本体部２５０と、記録装置本体部２５０に対して開閉自在なカバー部としての排出トレイ２５６と、排出トレイ２５６の閉状態の姿勢を保持する爪係合機構３１０と、爪係合機構３１０と別体に設けられ、閉状態の排出トレイ２５６を開閉方向開側へ付勢可能なラッチ機構３２０と、を備えていることを特徴とする。  
また、本実施形態の爪係合機構３１０は、爪部３１１と、爪部３１１と係合可能な凹部３１４とを備え、排出トレイ２５６の開閉方向に遊びがある構成であることを特徴とする。
【００５７】
またさらに、本実施形態のラッチ機構３２０は、排出トレイ２５６の開閉方向に移動可能なラッチ移動部３２２を有し、ラッチ移動部３２２が他の位置（Ｌ２、Ｌ３）より開閉方向開側の第１位置である第１ポジションＬ１に安定される第１安定状態と、ラッチ移動部３２２が第１ポジションＬ１より開閉方向閉側の第２位置である第２ポジションＬ２に安定される第２安定状態と、ラッチ移動部３２２が第２ポジションＬ２より開閉方向閉側であって、前記第１安定状態と前記第２安定状態とを切替える第３位置である第３ポジションＬ３と、を備えている。  
そして、爪係合機構３１０の前記遊びの距離Ｄ１は、閉じた状態の排出トレイ２５６から第３ポジションＬ３のときのラッチ移動部３２２までの距離Ｄ２よりも大となる構成であることを特徴とする。
【００５８】
また、本実施形態において、排出トレイ２５６が閉じた状態では、第２ポジションＬ２のラッチ移動部３２２は、排出トレイ２５６と当接していることを特徴とする。  
本実施形態の記録装置１００は、載置された被記録媒体の一例である用紙を給送する給送部１４４と、給送部１４４から給送された用紙に記録ヘッド１０６により記録を実行する記録部１４３と、記録装置本体部２５０に対して開閉可能な揺動部としての排出部２５４と、を備えた記録装置１００であって、排出部２５４は、前記カバー開閉装置（２５４）を備えていることを特徴とする。
【００５９】
［他の実施形態１］  
図９に示すのは、他の実施形態１に係る排出トレイの閉状態を示す概略側面図である。  
図９に示す如く、閉じた状態の排出トレイ２５６は、ラッチ移動部３２２から離間している。即ち、ラッチばねの付勢力Ｆ１を受けないように構成されている。他の実施形態１において、図９に示すラッチ移動部３２２の位置が第２位置Ｌ２である。  
尚、ラッチ機構３２０において、第１位置、第３位置、第１安定状態およぶ第２安定状態は、前述した実施形態と同様であるので、その説明は省略する。
【００６０】
また、排出トレイ２５６の回動支点である第１支軸部３０９、３０９は、排出トレイ２５６の重心より開閉方向閉側に設けられている。即ち、閉じた状態において、排出トレイ２５６には、自重によって開閉方向開側へ回動する力が生じている。従って、凹部３１４の第２傾斜部３１６と爪部３１１とを当接させることができる。その結果、爪係合機構３１０に遊び（Ｄ１）がある場合であっても、閉じた状態の排出トレイ２５６の位置を精度良く位置決めすることができる。
【００６１】
ここで、前記自重による回動力Ｆ２の大きさは、前述したラッチばねの付勢力Ｆ１より小さくなるように構成することができる。従って、爪部３１１が凹部３１４の第２傾斜部３１６を上る手前の状態で、爪部３１１と凹部３１４とを係合させることができる。即ち、可撓部３１３が撓んでいない状態である。その結果、閉じた状態の排出トレイ２５６の位置を、前述した実施形態と比較して、より精度良く位置決めすることができる。
【００６２】
尚、前記自重による回動力Ｆ２が排出トレイ２５６に作用しているので、前記遊び（Ｄ１）がある場合であっても、排出トレイ２５６の位置が不安定となる虞は殆どない。  
その他の部材については、前述した実施形態と同様であるので、同じ符号を用いると共にその説明は省略する。  
また、Ｄ２がＤ１より大のように図示されているが、閉じた状態の排出トレイ２５６がラッチ移動部３２２から離間していることを解りやすくするためである。実際は、Ｄ１がＤ２より大である。
【００６３】
他の実施形態１において、カバー部としての排出トレイ２５６が閉じた状態では、第２位置Ｌ２のラッチ移動部３２２は、排出トレイ２５６から離間し、排出トレイ２５６は自重によって開く方向へ付勢されていることを特徴とする。
【００６４】
［他の実施形態２］  
図１０（Ａ）〜（Ｈ）に示すのは、他の実施形態２に係る排出トレイを閉じる際および開く際の爪係合機構の動作を示す側面図および正面図である。ここで、図１０（Ｃ）は図１０（Ｂ）のＱ−Ｑ’における正面断面図である。  
図１０（Ａ）〜（Ｈ）に示す如く、他の実施形態２に係る爪係合機構３１０は、爪部３３１と、凹部３１４とを有している。このうち、爪部３３１には、凸部３３２が設けられている。一方、凹部側には、凸部３３２を案内可能な案内部３３４および弾性部３３３が設けられている。爪係合機構３１０は、爪部３３１と凹部３１４とが係合するタイミングを遅延させる係合タイミング遅延係合機構３３０を備えている。ここで、係合タイミング遅延係合機構３３０は、凸部３３２と、案内部３３４と、弾性部３３３とを有する。  
尚、その他の部材については、前述した実施形態と同様であるので、同じ符号を用いると共にその説明は省略する。
【００６５】
続いて、係合タイミング遅延係合機構３３０の動作について説明する。  
［排出トレイを閉じる際の動作］
図１０（Ａ）に示す如く、排出トレイ２５６を開閉方向閉側へ回動させると、排出トレイ２５６は爪部３３１に接近する。また、排出トレイ２５６は、第１安定状態のラッチ機構３２０と当接する。具体的には、第１ポジションＬ１のラッチ移動部３２２と当接する。  
図１０（Ｂ）に示す如く、図１０（Ａ）の状態からさらに排出トレイ２５６を閉側へ回動させると、排出トレイ２５６は爪部３３１の第１傾斜部３１２と当接する。
【００６６】
そして、ユーザが閉側に押し込むことによって爪部３３１は図中の上方へ変位する。その後、排出トレイ２５６を閉側へさらに押し込むと、爪部３３１は、凹部３１４と対向する。  
このとき、図１０（Ｃ）に示す如く、爪部側の凸部３３２は、凹部側の弾性部３３３および案内部３３４と当接する。従って、該当接している間、爪部３３１は、凹部３１４と係合することがない。
【００６７】
図１０（Ｄ）に示す如く、図１０（Ｂ）および図１０（Ｃ）の状態から排出トレイ２５６を閉側へさらに押し込むと、ラッチ移動部３２２が第３ポジションＬ３まで移動する。従って、ラッチ機構３２０が第１安定状態から第２安定状態へ切り替わる。  
その直後に、凹部側の弾性部３３３および案内部３３４が、開閉方向において、爪部側の凸部３３２の閉側へ通過する。言い換えると、図中において、凸部３３２の下方には、凸部３３２の変位を妨げる部材がない状態となる。従って、爪部３３１は、下方へ変位して凹部３１４と係合する。そして、度当て部３１７が爪部３３１と当接して、排出トレイ２５６の閉側の回動が停止する。
【００６８】
図１０（Ｅ）に示す如く、図１０（Ｄ）の状態からユーザが排出トレイ２５６から手を離すと、排出トレイ２５６は、ラッチばねの付勢力Ｆ１および前述した自重による回動力Ｆ２によって開側へ回動する。そして、ラッチ移動部３２２は、第３ポジションＬ３から第２ポジションＬ２まで排出トレイ２５６を付勢しながら移動してから停止する。その後、排出トレイ２５６は、ラッチ移動部３２２から離間して、凹部３１４の第２傾斜部３１６と爪部３３１との係合によって停止し位置決めされる。即ち、排出トレイ２５６が閉じた状態となる。
【００６９】
［排出トレイを開く際の動作］
図１０（Ｆ）に示す如く、図１０（Ｅ）の閉じた状態からユーザが排出トレイ２５６を閉側へ押圧すると、排出トレイ２５６は、爪係合機構３１０が係合したまま閉側へ回動する。そして、ラッチ移動部３２２が第３ポジションＬ３まで移動する。従って、ラッチ機構３２０は、第２安定状態から第１安定状態へ切り替わる。その後、凹部側の度当て部３１７が爪部３３１と当接して排出トレイ２５６の閉側への回動が停止する。
【００７０】
図１０（Ｇ）に示す如く、図１０（Ｆ）の状態からユーザが排出トレイ２５６から手を離すと、排出トレイ２５６は、ラッチばねの付勢力Ｆ１および前述した自重による回動力Ｆ２によって開側へ回動する。このとき、ラッチばねの付勢力Ｆ１によって勢いよく押されるので、爪部３３１は、凹部側の第２傾斜部３１６を上るように上方へ変位する。このとき、凸部３３２は、弾性部３３３を上方へ弾性変形させる。従って、爪部３３１は、凹部３１４から出ることができる。
【００７１】
図１０（Ｈ）に示す如く、図１０（Ｇ）の状態からラッチばねの付勢力Ｆ１および前記自重による回動力Ｆ２によってさらに開側へ排出トレイ２５６が回動すると、完全に爪係合機構３１０の係合が解除される。そして、排出トレイ２５６は、爪部３３１から離間する。従って、爪部３３１は下方へ変位する。その後、ラッチ移動部３２２は、第１ポジションＬ１まで排出トレイ２５６を付勢しながら移動して停止する。そして、排出トレイ２５６は、ラッチ移動部３２２から離間し、前述した開いた状態となる。
【００７２】
以上、説明したように、排出トレイ２５６を閉じる際、係合タイミング遅延係合機構３３０を設けることによって、ラッチ機構３２０が第１安定状態から第２安定状態へ切り替わった後に爪係合機構３１０が係合する。従って、排出トレイ２５６を閉じた状態でラッチ機構３２０が第１安定状態であるといったアブノーマル状態となる虞がない。即ち、排出トレイ２５６を開く際、ユーザが操作したにも拘わらず開かないといった虞がない。
【００７３】
他の実施形態２において、排出部２５４は、カバー部を閉じる際、ラッチ移動部３２２が第１位置から第３位置まで移動する間、爪係合機構３１０が係合することを防止し、第３位置まで移動したとき、爪係合機構３１０が係合する係合タイミング遅延係合機構３３０を備えていることを特徴とする。
【００７４】
尚、爪係合機構３１０は、記録装置本体部側に爪部３３１を、排出トレイ側に凹部３１４を設けたが、逆の構成であってもよいのは勿論である。  
また、本発明は上記実施例に限定されることなく、特許請求の範囲に記載した発明の範囲内で、種々の変形が可能であり、それらも本発明の範囲内に含まれるものであることは言うまでもない。
【図面の簡単な説明】
【００７５】
【図１】本願発明に係る記録装置を示す全体斜視図（排出トレイ閉状態）。
【図２】本願発明に係る記録装置を示す全体斜視図（排出トレイ開状態）。
【図３】本願発明に係る記録装置内部の概略を示す全体斜視図。
【図４】本願発明に係る記録装置内部の概略を示す全体平面図。
【図５】排出トレイの動作を示す概略側面図（ロック状態）。
【図６】排出トレイの動作を示す概略側面図（オーバーストローク状態）。
【図７】排出トレイの動作を示す概略側面図（ロック解除状態）。
【図８】排出トレイの動作を示す概略側面図（排出トレイ開状態）。
【図９】他の実施形態１に係る排出トレイのロック状態を示す概略側面図。
【図１０】（Ａ）〜（Ｈ）は他の実施形態２に係る爪係合機構の動作を示す側面図。
【図１１】（Ａ）（Ｂ）は従来形態１のカバー開閉装置を示す概略側面図。
【図１２】（Ａ）（Ｂ）は従来形態２のカバー開閉装置を示す概略側面図。
【図１３】（Ａ）（Ｂ）は従来形態３のカバー開閉装置を示す概略側面図。
【符号の説明】
【００７６】
１００  記録装置、１０１  ホッパ、１０２  キャリッジモータ、１０３  用紙ガイド、
１０４  給送用モータ、１０５  プラテン、１０６  記録ヘッド、１０７  キャリッジ、
１１０  インク供給チューブ、１４３  記録部、１４４  給送部、
２００  インク吸引装置、２０１  着脱装置、２１３  キャップ部、
２５０  記録装置本体部、２５１  パネルカバー蓋部、２５２  ハンドル部、
２５３  背面側蓋部、２５４  排出部、２５５  排出開口部、２５６  排出トレイ、
２５７  第１操作部、２５８  電源ボタン、２７０  操作部、３００  第２操作部、
３０１  第２支軸部、３０２  表示部、３０９  （排出トレイの）第１支軸部、
３１０  爪係合機構、３１１  爪部、３１２  第１傾斜部、３１３  可撓部、
３１４  凹部、３１５  平坦部、３１６  第２傾斜部、３１７  度当て部、
３２０  ラッチ機構、３２１  ラッチ基部、３２２  ラッチ移動部、
３３０  （他の実施形態２の）係合タイミング遅延係合機構、３３１  爪部、
３３２  凸部、３３３  弾性部、３３４  案内部、４０１  （従来形態１の）記録装置、
４０２  パネルカバー、４０３  開ボタン、４０４  磁石、４０５  押出しレバー、
４０６  排紙トレイ、４０７  支軸部、５０１  （従来形態２の）記録装置、
５０２  排紙トレイ、５０３  支軸部、５０４  取っ手部、５０５  凹部、
５０６  爪部、６０１  （従来形態３の）記録装置、６０２  排紙トレイ、
６０３  支軸部、６０４  ラッチ機構、６０５  ラッチ基部、６０６  押出し移動部、
６０７  磁石、Ｄ１  遊びの距離、
Ｄ２  閉じた状態の排出トレイから第３ポジションのラッチ移動部までの距離、
Ｆ１  ラッチばねの付勢力、Ｆ２  （排出トレイの）自重による回動力、
Ｌ１  第１ポジション、Ｌ２  第２ポジション、Ｌ３  第３ポジション
【図１】
0005126494.tif 000002
【図２】
0005126494.tif 000003
【図３】
0005126494.tif 000004
【図４】
0005126494.tif 000005
【図５】
0005126494.tif 000006
【図６】
0005126494.tif 000007
【図７】
0005126494.tif 000008
【図８】
0005126494.tif 000009
【図９】
0005126494.tif 000010
【図１０】
0005126494.tif 000011
【図１１】
0005126494.tif 000012
【図１２】
0005126494.tif 000013
【図１３】
0005126494.tif 000014